(57)【要約】【課題】  メディアの挿入に際して利用者が抱く混乱を抑制させるようにした記録媒体処理装置、情報処理装置を提供する。【解決手段】  メディア処理装置１０には、シャッター機構が設けられた単一のメディア挿入口４２が設けられている。利用者がタッチパネル（表示操作部１１）から使用メディアを指定すると、指定されたメディアに対応するメディアスロットがメディア挿入口４２の直ぐ背面位置に移動し、メディア挿入口４２のシャッターが開放される。メディアが挿入されるとシャッターが閉鎖され、当該メディアに対する読取り、書込み等の処理が行なわれる。その後、メディアに対する処理が終われば、シャッターが開放され、メディアが利用者に返却される。【選択図】  図１
2008293255.tif 000002
【特許請求の範囲】
【請求項１】
記録媒体の種類に対応してそれぞれ設けられ、挿入された該記録媒体に対する情報の書込み若しくは読取りの少なくとも一方を行う複数の記録媒体挿入溝を有する記録媒体挿入部材と、
前記記録媒体挿入部材に対して相対的に移動し、前記複数の記録媒体挿入溝の内の一つを選択的に外部に臨ませる記録媒体挿入口と、
前記記録媒体挿入口に設けられ、前記複数の記録媒体挿入溝の内の一つを外部に臨ませる状態で開かれる挿入口開閉部材と
を具備する記録媒体処理装置。
【請求項２】
前記記録媒体挿入口は、
固定位置に配設され、
前記記録媒体挿入部材は、
前記記録媒体挿入口に挿入される記録媒体の種類の指定に応じて、該指定された記録媒体の種類に対応する記録媒体挿入溝が前記記録媒体挿入口の位置に合致するように移動される
請求項１記載の記録媒体処理装置。
【請求項３】
前記記録媒体挿入部材は、
固定位置に配設され、
前記記録媒体挿入口は、
前記記録媒体挿入口に挿入される記録媒体の種類の指定に応じて、該指定された記録媒体の種類に対応する記録媒体挿入溝の位置に合致するように移動される
請求項１記載の記録媒体処理装置。
【請求項４】
前記記録媒体挿入口に挿入される記録媒体の種類の指定に応じて、該指定された記録媒体の種類に対応する記録媒体挿入溝と前記記録媒体挿入口とが接近するように前記記録媒体挿入部材と前記記録媒体挿入口とが移動される
請求項１記載の記録媒体処理装置。
【請求項５】
前記記録媒体挿入口は、単一で構成される
請求項１記載の記録媒体処理装置。
【請求項６】
記録媒体の種類に対応してそれぞれ設けられ、挿入された該記録媒体に対する情報の書込み若しくは読取りの少なくとも一方を行う複数の記録媒体挿入溝を有する記録媒体挿入部材と、
前記記録媒体挿入部材に対して相対的に移動し、前記複数の記録媒体挿入溝の内の一つを選択的に外部に臨ませる記録媒体挿入口と、
前記記録媒体挿入口に設けられ、前記複数の記録媒体挿入溝の内の一つを外部に臨ませる状態で開かれる挿入口開閉部材と
前記記録媒体に対して書き込まれる情報、若しくは読み取られた情報の少なくとも一方の情報を処理する情報処理手段と
を具備する情報処理装置。
【発明の詳細な説明】
【技術分野】
【０００１】
本発明は、複数種類の記録媒体に対する処理に対応した装置に関し、特に、記録媒体の挿入に際して利用者に混乱を抱かせないようにした記録媒体処理装置、情報処理装置に関する。
【背景技術】
【０００２】
ＳＤ（Secure Digital）メモリカード、コンパクトフラッシュ（登録商標）等に代表される（可般）記録媒体（以下、メディアと言う）は、携帯電話機、携帯ゲーム機、デジタルカメラ等から各種家電機器に至るまで幅広く利用されている。
【０００３】
しかし、これらメディアは、複数のベンダメーカから提供され、それぞれ大きさや形状が異なるため、これらを利用する利用者側にとっては、どの装置がどのメディアに対応しているか等把握しておかなければ、メディアを上手く利用できなかった。
【０００４】
このような現状を踏まえて、例えば、１台で複数種類のメディアの読取りや書込みに対応した装置が提案されている。この種の装置に関しては、例えば、メディアの種類に応じてドライブ装置のメディア挿入口の開閉を制御する技術（例えば、特許文献１）、メディアの種類に応じてメディアの挿入口を案内表示する技術（例えば、特許文献２）が知られている。
【特許文献１】特開２００５−１８４３１７号
【特許文献２】特開２００５−４５９２号
【発明の開示】
【発明が解決しようとする課題】
【０００５】
上記したメディアは、コンピュータやメカ等に詳しい者からこれらを敬遠しがちな者にまで幅広く利用されているが、この後者に当たるコンピュータに不慣れな利用者にとっては、複数種類存在するメディアの取扱は非常に難しいものとなっている。
【０００６】
例えば、上記した特許文献１、特許文献２の技術では、シャッター機構により不要なメディア挿入口が閉じられたり、またＬＥＤ（Light Emitting Diode）等により案内表示が行なわれたりするが、対応メディア数分のメディア挿入口が設けられているため、利用者に混乱を抱かせてしまう可能性がある。
【０００７】
また、これら装置を提供するメーカ側においても、このような装置構成では、対応しているメディアの数分、シャッター機構やＬＥＤ等の表示灯を設けなければならず、製造コストの増大を招いてしまう。
【０００８】
そこで、本発明は、メディアの挿入に際して利用者が抱く混乱を抑制させるようにした記録媒体処理装置、情報処理装置を提供することを目的とする。
【課題を解決するための手段】
【０００９】
上記目的を達成するため、請求項１の記録媒体処理装置の発明は、記録媒体の種類に対応してそれぞれ設けられ、挿入された該記録媒体に対する情報の書込み若しくは読取りの少なくとも一方を行う複数の記録媒体挿入溝を有する記録媒体挿入部材と、前記記録媒体挿入部材に対して相対的に移動し、前記複数の記録媒体挿入溝の内の一つを選択的に外部に臨ませる記録媒体挿入口と、前記記録媒体挿入口に設けられ、前記複数の記録媒体挿入溝の内の一つを外部に臨ませる状態で開かれる挿入口開閉部材とを具備する。
【００１０】
また、請求項２の発明は、請求項１の発明において、前記記録媒体挿入口は、固定位置に配設され、前記記録媒体挿入部材は、前記記録媒体挿入口に挿入される記録媒体の種類の指定に応じて、該指定された記録媒体の種類に対応する記録媒体挿入溝が前記記録媒体挿入口の位置に合致するように移動される。
【００１１】
また、請求項３の発明は、請求項１の発明において、前記記録媒体挿入部材は、固定位置に配設され、前記記録媒体挿入口は、前記記録媒体挿入口に挿入される記録媒体の種類の指定に応じて、該指定された記録媒体の種類に対応する記録媒体挿入溝の位置に合致するように移動される。
【００１２】
また、請求項４の発明は、請求項１の発明において、前記記録媒体挿入口に挿入される記録媒体の種類の指定に応じて、該指定された記録媒体の種類に対応する記録媒体挿入溝と前記記録媒体挿入口とが接近するように前記記録媒体挿入部材と前記記録媒体挿入口とが移動される。
【００１３】
また、請求項５の発明は、請求項１の発明において、前記記録媒体挿入口は、単一で構成される。
【００１４】
また、請求項６の情報処理装置の発明は、記録媒体の種類に対応してそれぞれ設けられ、挿入された該記録媒体に対する情報の書込み若しくは読取りの少なくとも一方を行う複数の記録媒体挿入溝を有する記録媒体挿入部材と、前記記録媒体挿入部材に対して相対的に移動し、前記複数の記録媒体挿入溝の内の一つを選択的に外部に臨ませる記録媒体挿入口と、前記記録媒体挿入口に設けられ、前記複数の記録媒体挿入溝の内の一つを外部に臨ませる状態で開かれる挿入口開閉部材と、前記記録媒体に対して書き込まれる情報、若しくは読み取られた情報の少なくとも一方の情報を処理する情報処理手段とを具備する。
【発明の効果】
【００１５】
請求項１の記録媒体処理装置によれば、記録媒体をどの挿入口に挿入すればいいか迷ったり、分からなかったりすることがなくなるので、これらを起因とした利用者の混乱を抑制させることができる。また、複数の記録媒体挿入溝各々に対応して挿入口を設けた場合に比して、記録媒体挿入口、挿入口開閉部材や表示灯等の部品点数を減らすことができる。
【００１６】
また、請求項２の記録媒体処理装置によれば、記録媒体挿入口の位置が固定されるため、上記混乱を更に抑制させることができる。
【００１７】
また、請求項３の記録媒体処理装置によれば、記録媒体挿入部材の位置が固定されるため、記録媒体挿入部材に設けられた配線の配置を簡略化することができる。
【００１８】
また、請求項４の記録媒体処理装置によれば、記録媒体挿入口、記録媒体挿入溝の両者の移動距離が少なくて済むため、時間の短縮を図れることになる。
【００１９】
また、請求項５の記録媒体処理装置によれば、記録媒体挿入口が単一となるため、上記混乱を更に抑制させることができる。
【００２０】
また、請求項６の情報処理装置によれば、記録媒体をどの挿入口に挿入すればいいか迷ったり、分からなかったりすることがなくなるので、これらを起因とした利用者の混乱を抑制させることができる。また、複数の記録媒体挿入溝各々に対応して挿入口を設けた場合に比して、記録媒体挿入口、挿入口開閉部材や表示灯等の部品点数を減らすことができる。
【発明を実施するための最良の形態】
【００２１】
以下、本発明に係わる記録媒体処理装置、情報処理装置の実施例について添付図面を参照して詳細に説明する。なお、以下、実施例においては、本発明の実施の一形態として、本発明に係わる情報処理装置を適用したメディア処理装置１０を例に挙げて説明する。
【実施例】
【００２２】
図１は、メディア処理装置１０の外観構成の一例を示す図である。
【００２３】
メディア処理装置１０の前面部には、タッチパネル等で構成された表示操作部１１と、紙幣の挿入、排出（返却）を行なうための紙幣挿排口２１と、硬貨の投入を行なうための硬貨投入口２２と、投入された紙幣、硬貨の返却を指示するための返却レバー２４と、メディアを挿入するためのメディア挿入口４２と、硬貨の返却を行なうための硬貨返却口２３と、レシートの発行を行なうためのレシート発行口３１とが設けられる。本実施例におけるメディア処理装置１０では、複数種類のメディアに対してデータの読取り、データの書込みを行なうことになるが、当該メディアを挿入するためのメディア挿入口４２は単一となる。
【００２４】
ここで、図２を用いて、メディア処理装置１０の機能的な構成の一例について説明する。なお、上記図１と同一の符号が付されているものは、同一のものを指している。
【００２５】
メディア処理装置１０は、その機能構成として、表示操作部１１と、制御部１２と、貨幣処理部１３と、レシート発行部１４と、メディア処理部１５とを具備して構成される。なお、メディア処理装置１０には、ＨＤＤ等（Hard Disk Drive）で構成された記憶部や、利用者の認証を行なうカード認証機構等で構成された認証部、モデム、ネットワークカード等で構成された通信部、等の処理機能が設けられていてもよいが、必須の構成要素ではないため、ここでは当該処理機能の図示、説明については省略する。
【００２６】
表示操作部１１は、タッチパネル、ハードボタンなどの入力用デバイスと、ＬＥＤ、ＬＣＤ（Liquid Crystal Display）などの表示用デバイスとを具備して構成され、利用者とメディア処理装置１０とを繋ぐユーザインターフェースとしての機能を果たす。
【００２７】
制御部１２は、ＣＰＵ（Central Processing Unit）、ＲＯＭ(Read Only Memory)やＲＡＭ(Random Access Memory)、各種ＡＳＩＣ（Application Specific Integrated Circuit）等から構成され、メディア処理装置１０を統括制御する機能を果たす。制御部１２は、メディア処理装置１０上に構成される処理機能に対して各種制御信号を発する他、書込みデータや読取りデータ等に対して編集や加工を加えるといったデータ処理機能等も備えている。
【００２８】
貨幣処理部１３は、紙幣挿排口２１、硬貨投入口２２、硬貨返却口２３、返却レバー２４、貨幣識別部２５、貨幣収納部２６等から構成され、挿入あるいは投入された貨幣（紙幣、硬貨を含む）を処理する機能を果たす。貨幣識別部２５は、貨幣の真偽や金種の識別を行う機能を果たし、貨幣収納部２６は、貨幣識別部２５による識別後、利用者から徴収された貨幣を収納する機能を果たす。
【００２９】
レシート発行部１４は、レシート発行口３１、印字部３２等から構成され、徴収金額等を印字したレシートを発行する機能を果たす。印字部３２は、サーマル（感熱式）プリンタ等で構成され、レシート用ロール紙に文字や数字、画像等を印刷する機能を果たす。
【００３０】
メディア処理部１５は、シャッター機構４１、メディア挿入口４２、スロット基盤４３、メディアスロット４４、基盤搬送機構４５、メディア処理制御部４６等から構成され、複数種類のメディアに対しデータの読取り、書込み処理を行なう機能を果たす。シャッター機構４１は、シャッター（メディア挿入口４２を開閉する部材）によりメディア挿入口４２を開放、閉鎖させる機能を果たす。スロット基盤４３は、基盤（部材）で構成され、当該基板上には、複数のメディアスロット４４が配される。また、メディアスロット４４は、メディアが挿入される挿入溝であり、挿入されたメディアからデータの読取り、書込みを行なう機能を果たす。なお、メディアスロット４４は、メディア処理装置１０が対応しているメディアの種類に応じた数分設けられる。基盤搬送機構４５は、スロット基盤４３を所定位置に搬送させる機能を果たす。メディア処理制御部４６は、ＣＰＵ、ＲＯＭやＲＡＭ、各種ＡＳＩＣ等から構成され、メディア処理部１５を統括制御する機能を果たす。なお、メディアスロット４４は、読取り機能、書込み機能のいずれか一方の機能だけを持ち合わせたもので構成されてもよい。
【００３１】
以上が、メディア処理装置１０を構成する各種処理機能の説明である。なお、図２においては、説明を分かり易くするために、各処理機能を具体的に実現する構成を例示しているが、これはあくまで一例であり、これ以外の構成により各処理機能が実現されてもよい。また、メディア処理装置１０内に設けられた各機能部、また当該機能部内に設けられた機能的な構成は、必ずしも上記図示した通りに実現される必要はなく、メディア処理装置１０内のいずれかに実現されていれば足りる。
【００３２】
ここで、上記説明したメディア処理部１５の概略構成について説明する。図３には、メディア処理部１５を上方から見た平面図、メディア処理部１５をシャッター機構４１側から見た正面図が示されており、平面図に関してはシャッター閉鎖時、正面図に関してはシャッター閉鎖時、シャッター開放時の態様が示される。
【００３３】
スロット基盤４３には、各メディアに対応して設けられた複数のメディアスロット４４が配設されるとともに、当該基盤を搬送させるための基盤搬送機構４５（不図示）が設けられている。基盤搬送機構４５は、スロット基盤４３をシャッターと水平方向（図３で言うと左右方向）に搬送し移動させる。
【００３４】
これに対して、メディア挿入口４２は所定位置に固定されている。所定位置に設けられたメディア挿入口４２に合わせてスロット基盤４３が搬送されることで、複数種類のメディアの使用が可能となる。ここで、（正面図：シャッター閉鎖時）に示すように、利用者指定のメディアのスロットがメディア挿入口４２の直ぐ背面位置まで搬送され、当該メディアスロット４４とメディア挿入口４２との位置が合致すれば、シャッターが開放され、メディアの受け付けが行なわれる。
【００３５】
次に、図４を用いて、図１に示すメディア処理装置１０における動作の流れの一例について説明する。
【００３６】
利用者がタッチパネルに接触する等すると、メディア処理装置１０は、人を検知するとともに、スピーカ（不図示）から音声を発する等して利用者に使用メディアの指定を促す（ステップＳ１０１）。
【００３７】
これを受けた利用者は、タッチパネル等から使用メディアを指定する。すると、当該指定入力を受けたメディア処理装置１０は、当該指定されたメディアを含んだ信号をメディア処理部１５に発する。すると、メディア処理部１５において、指定メディア受付準備処理が実行される（ステップＳ１０２およびステップＳ１０３）。なお、指定メディア受付準備処理の詳細については後述する。
【００３８】
当該処理後、メディア処理装置１０は、メディア挿入口４２のシャッターを開放し、利用者に指定されたメディアスロット４４を外部に臨ませた状態でメディアの挿入待ちとなる（ステップＳ１０４でＮＯ）。ここで、メディア挿入口４２からメディアが挿入されると（ステップＳ１０４でＹＥＳ）、シャッター機構４１によりシャッターが閉鎖されるとともに（ステップＳ１０５）、メディアスロット４４において、当該挿入されたメディアに対してデータの読取り、書込み等の処理が行われる（ステップＳ１０６）。
【００３９】
そして、メディアに対する処理が終了すると（ステップＳ１０７でＹＥＳ）、シャッター機構４１によりシャッターが開放され（ステップＳ１０８）、メディアが引き出せる状態となる。これを受けた利用者がメディア挿入口４２からメディアを引き出し回収すると（ステップＳ１０９でＹＥＳ）、メディア処理装置１０では、メディア処理制御部４５において、メディアの引き抜きが検知され、これに伴ってメディア挿入口４２のシャッターが閉鎖される（ステップＳ１１０）。そして、この処理は終了する。
【００４０】
ここで、図５を用いて、上記ステップＳ１０３における指定メディア受付準備処理の動作の流れの一例について説明する。
【００４１】
指定メディア受付準備処理が開始されると、メディア処理部１５の基盤搬送機構４５は、利用者に指定されたメディアのスロットをメディア挿入口４２の位置まで移動させる（ステップＳ２０１）。ここで、指定されたメディアスロット４４がメディア挿入口４２と合致する位置まで移動されると（ステップＳ２０２でＹＥＳ）、シャッター機構４１によりメディア挿入口４２のシャッターが開放され（ステップＳ２０３）、メディア挿入可能な状態となる。そして、この処理は終了する。
【００４２】
なお、上記説明では、メディア挿入口４２、メディアスロット４４の位置合わせの方法については特に言及していないが、どのような方法を用いてもよい。例えば、スロット基盤４３の各メディアスロット４４に検知ＳＷを設け、当該検知ＳＷの検知により位置合わせを行なうようにしてもよい。また、メディア処理終了後のスロット基盤４３の停止位置を一定とし、そこからステッピングモータで決められたステップ数分移動させて位置合わせを行なうようにしてもよいし、また、停止位置を固定せずに前処理を行った位置からステッピングモータで決められたステップ数分移動させて現処理で用いるメディアスロット４４を移動させて位置合わせを行なうようにしてもよい。
【００４３】
以上が本発明の代表的な実施形態の一例であるが、本発明は、上記および図面に示す実施例に限定することなく、その要旨を変更しない範囲内で適宜変形して実施できるものである。
【００４４】
例えば、上記実施例においては、固定位置に設けられたメディア挿入口４２に合わせてメディアスロット４４が移動することで複数種類のメディアが受け付けられる場合について説明したが、これとは逆に、例えば、図６に示すように、メディアスロット４４（スロット基盤４３）を固定位置とし、それに合わせてメディア挿入口４２を移動させるようにしてもよい。この場合においても上記実施例同様の処理が行える。また更に、図７に示すように、メディア挿入口４２、メディアスロット４４（スロット基盤４３）の両方を同時に移動させるようにしてもよい。この場合、両者が接近するように移動しその合致点においてシャッターを開放させるため、移動距離が短くなり時間の短縮が図れることになる。上記実施例あるいは当該変形例に示すように本発明においては、スロット基盤４３に対してメディア挿入口４２が相対的に移動すればよく、スロット基盤４３の搬送による移動、メディア挿入口４３の搬送による移動、その両者が搬送されることによる移動等、特にその方法は問わない。
【００４５】
また、上記実施例において説明したメディア処理装置１０では、メディアから読取るデータやメディアに書込むデータについては言及していないが、このデータは例えば、画像データ、動画データ、テキストデータ等いずれであってもよく、特にその種類は問わない。なお、画像データが記録されたメディアを処理する場合には、メディア処理装置１０内に現像機構を設け、写真プリントを行なうように構成してもよい。
【００４６】
また、上記実施例においては、利用者によるメディアの指定をタッチパネルから行なう場合について説明したが、この指定の方法は特に問わず、例えば、特開２００５−１８４３１７号に開示されるように、メディアを撮像し、装置側でメディアを指定するようにしてもよい。
【００４７】
また、上記説明したメディアは、電子データを記録し持ち運び可能な記録媒体であればよく、ＳＤメモリカード、コンパクトフラッシュ（登録商標）、メモリースティック（登録商標）等のカード型記録媒体の他、ＵＳＢ（Universal Serial Bus）メモリ等であってもよい。この場合、例えば、メディアスロット４４に加えて、ＵＳＢスロットを上記説明した基板上に配し、当該ＵＳＢスロットをメディアスロット４４同様に扱えば上記実施例同様の処理が行えることになる。
【００４８】
また、上記実施例においては、メディア挿入口４２が単一である場合について説明したが、メディア処理装置１０の大きさ（例えば、横幅）と、スロット基盤４３の大きさ（例えば、横幅）の兼ね合いからスロット基盤４３が複数枚になる場合等には、スロット基盤４３を複数段（例えば、２段）構成とし、それに合わせてメディア挿入口４２を複数（例えば、スロット基盤４３が２段構成となれば、メディア挿入口は２個となる）設けるようにしてもよい。この場合にも、メディア挿入口の数を抑えることができるため、上記同様に利用者の抱く混乱等を抑制させることができる。なお、スロット基盤４３やメディア挿入口４２を上下左右に搬送させる搬送機構を設け、スロット基盤４３が複数段になった場合であっても、それら基盤や挿入口を上下左右に搬送させることでメディア挿入口４２を単一とするように構成してもよい。
【００４９】
また、上記説明したメディア処理装置１０、メディア処理装置１０内のメディア処理部１５における処理は、専用の回路に組み込まれたプログラムにより実施するように構成してもよいし、内蔵されたコンピュータにインストールされたプログラムにより実施するように構成してもよい。なお、プログラムは、ネットワーク等の通信手段により提供することは勿論、ＣＤ−ＲＯＭ等の記録媒体に記録して提供することも可能である。
【図面の簡単な説明】
【００５０】
【図１】メディア処理装置１０の外観構成の一例を示す図である。
【図２】メディア処理装置１０の機能的な構成の一例を示す図である。
【図３】図２に示すメディア処理部１５の概略構成の一例を示す図である。
【図４】メディア処理装置１０における動作の流れの一例を示す第１のフローチャートである。
【図５】メディア処理装置１０における動作の流れの一例を示す第２のフローチャートである。
【図６】本実施例に係わる第１の変形例を示す図である。
【図７】本実施例に係わる第２の変形例を示す図である。
【符号の説明】
【００５１】
１０    メディア処理装置
１１    表示操作部
１２    制御部
１３    貨幣処理部
１４    レシート発行部
１５    メディア処理部
２１    紙幣挿排口
２２    硬貨投入口
２３    硬貨返却口
２４    返却レバー
２５    貨幣識別部
２６    貨幣収納部
３１    レシート発行口
３２    印字部
４１    シャッター機構
４２    メディア挿入口
４３    スロット基盤
４４    メディアスロット
４５    基盤搬送機構
４７    メディア処理制御部
【図１】
2008293255.tif 000003
【図２】
2008293255.tif 000004
【図３】
2008293255.tif 000005
【図４】
2008293255.tif 000006
【図５】
2008293255.tif 000007
【図６】
2008293255.tif 000008
【図７】
2008293255.tif 000009